(57)【要約】【課題】、排水として無駄な水を生じることなく浄水機能のみを作動させることができ、かつ、浄水部の利用効率を向上させることができる整水器を提供する。【解決手段】筐体１の底部には、水道水を内部へ導入するための導入口３及び筐体１外へ排水を導出させる導出口４が、該底部を貫通する様態で設けてあり、導入口３には導水管５が接続してある。導水管５は中途より２枝に分岐しており、その一方である第１導水管６は、保持部１０の入水口１０ａに接続してある。２枝に分岐した内の他方である第２導水管７は、イオン水生成部３０の第２槽に連通する入水口３０ｃに接続してあり、第２導水管７の中途には、該第２導水管７内の流路を開閉する電磁弁９及びカルシウム剤を充填してなるカルシウムケース２０がこの順に介装してある。【選択図】    図１
2004188253.tif 000002
【特許請求の範囲】
【請求項１】
導入された水を浄化して浄水を生成する浄水部と、水が通流される第１槽及び第２槽を内蔵し、両槽内に通電してイオン水を生成するイオン水生成部と、前記第１槽内へ水を導入し、該第１槽から取水する第１水路と、前記第２槽内へ水を導入し、該第２槽から排水する第２水路とを備える整水器において、
前記第１水路には、前記浄水部によって浄化された水が流入されるようにしてあり、前記第２水路には、外部から導入された水が直接的に又は前記浄水部によって一部浄化された後に流入するようにしてあり、前記第２水路上に当該第２水路を開閉する開閉弁が配設してあり、該開閉弁は、前記両槽内に通電しない場合は閉動作し、両槽内に通電する場合は開動作するようにしてあることを特徴とする整水器。
【請求項２】
前記浄水部内には水を浄化する流路とは異なる他の流路が設けてあり、該他の流路は前記第２水路に接続してある請求項１記載の整水器。
【請求項３】
前記第２水路に、該第２水路内を通流する水の量を制限する流量制限手段が設けてある請求項１又は２記載の整水器。
【請求項４】
前記他の流路に、該他の流路内を通流する水の量を制限する流量制限手段が設けてある請求項２記載の整水器。
【発明の詳細な説明】
【０００１】
【発明の属する技術分野】
本発明は、水を浄化する浄水部と、水を電気分解してアルカリ性のイオン水と酸性のイオン水とを生成するイオン水生成部とを備える整水器に関する。
【０００２】
【従来の技術】
図７は、後述する特許文献１に開示された従来の整水器の構造を示す模式図であり、図中、２１０は浄水部である。浄水部２１０は、円柱殻状の筐体内に活性炭及び／又は中空糸膜を充填した浄化流路を形成してなり、この筐体の底部に前記流路の入水口及び出水口が設けてあり、この入水口に、外部から水道水を入水する入水管２５５が、また前記出水口に、浄水器２１０で浄化された浄水を出水する出水管２５６が連結してある。
【０００３】
出水管２５６の中途部分にはＵ字状管２５７が連結してあり、該Ｕ字状管２５７にはカルシウム製剤を充填してなるカルシウム添加用容器２２０が介装してある。浄水部２１０から出水管２５６へ出水された浄水の一部は、Ｕ字状管２５７内へ導かれ、カルシウム添加用容器２２０内を通過する間にカルシウムが添加された後、出水管２５６へ還流する。
【０００４】
浄水部２１０の下流側には、水を電気分解してイオン水を生成するイオン水生成部２３０が配設してある。イオン水生成部２３０は、直方体状の筐体内を透水性を有する隔膜２３３によって第１槽２３１及び第２槽２３２に縦分割してあり、第１槽２３１及び第２槽２３２には電極２３４，２３５が内装してある。第１槽２３１内の電極２３４には負電圧が、第２層２３２内の電極には正電圧が印加されるようになっており、両電極２３４，２３５への印加によってイオン水生成部２３０内の水を電気分解して、第１槽２３１にアルカリ性のイオン水を、第２槽２３２に酸性のイオン水を生成する。
【０００５】
イオン水生成部２３０の底部及び頭部には、第１槽２３１及び第２槽２３２に各別に連通する一対の入水口及び一対の出水口が設けてある。前述した出水管２５６の先端部分は２枝に分岐しており、一方は第１槽２３１に連通する入水口に、他方は第２槽２３２に連通する入水口に連結してある。
【０００６】
イオン水生成部２３０の第１槽２３１に連通する出水口には、生成されたイオン水を取水する取水管２６０が連結してあり、イオン水生成部２３０の第２槽２３２に連通する出水口には、生成されたイオン水を排水する排水管２９０が連結してある。この取水管２６０と排水管２９０との間はバイパス管２７０によって連通させてあり、該バイパス管２７０の中途にはバイパス管２７０内の流路を開閉する電磁弁２７１が介装してある。また、前記排水管２９０のバイパス管２７０の連結部分より下流位置に、所定圧以上の水圧によって開く排水用弁２９１が介装してある。
【０００７】
このような整水器において浄水だけを得るには、図示しない制御パネルに配した浄水モードボタンを「入り」にすることによって、電極２３４，２３５への電圧の印加を停止した状態で電磁弁２７１を開にさせ、水道水を入水管２５５から浄水部２１０へ供給する。電磁弁２７１が開のときは、第２槽２３２に連通する排水管２９０内へ流入した水はバイパス管２７０内へ導入されるため、排水用弁２９１にかかる水圧は電磁弁２７１が閉のときより低く、排水用弁２９１は閉状態である。従って、浄水部２１０から出水され、イオン水生成部２３０に導入された浄水は、第１槽２３１を通過して取水管２６０へ、また第２槽２３２を通過した後にバイパス管２７０を経て取水管２６０へ導入される。これによって、排水として無駄な水を生じることなく浄水を使用することができる。
【０００８】
一方、かかる整水器おいてイオン水を得るには、前記制御パネルに配したイオン水モードボタンを「入り」にすることによって、電極２３４，２３５に電圧を印加した状態で電磁弁２７１を閉にさせ、水道水を入水管２５５から浄水部２１０へ供給する。電磁弁２７１が閉のときは、第２槽２３２に連通する排水管２９０内へ流入した水はバイパス管２７０内へ導入されないため、排水用弁２９１には所定圧以上の水圧がかかり、排水用弁２９１は開状態である。従って、浄水部２１０から出水され、イオン水生成部２３０に導入された浄水は、第１槽２３１を通過して取水管２６０へ、また第２槽２３２を通過して排水管２９０へ導入される。そして、取水管２６０から吐出されるイオン水を使用する。
【０００９】
【特許文献１】
特開平９−１０３７８４号公報（図１）
【００１０】
【発明が解決しようとする課題】
しかしながら、このような従来の整水器にあっては、排水管２９０に導入されるイオン水は、廃棄されるにも拘わらず、浄水部２１０によって浄化された水が用いられているため、浄水部２１０の利用効率が低く、浄水部２１０の寿命中に利用され得るイオン水の総容量が少ないという問題があった。
【００１１】
本発明は、斯かる事情に鑑みてなされたものであって、その目的とするところは、排水として無駄な水を生じることなく浄水機能のみを作動させることができ、かつ、浄水部の利用効率を向上させることができる整水器を提供することにある。
【００１２】
【課題を解決するための手段】
請求項１記載の本発明は、導入された水を浄化して浄水を生成する浄水部と、水が通流される第１槽及び第２槽を内蔵し、両槽内に通電してイオン水を生成するイオン水生成部と、前記第１槽内へ水を導入し、該第１槽から取水する第１水路と、前記第２槽内へ水を導入し、該第２槽から排水する第２水路とを備える整水器において、前記第１水路には、前記浄水部によって浄化された水が流入されるようにしてあり、前記第２水路には、外部から導入された水が直接的に又は前記浄水部によって一部浄化された後に流入するようにしてあり、前記第２水路上に当該第２水路を開閉する開閉弁が配設してあり、該開閉弁は、前記両槽内に通電しない場合は閉動作し、両槽内に通電する場合は開動作するようにしてあることを特徴とする。
【００１３】
請求項２記載の本発明は、前記浄水部内には水を浄化する流路とは異なる他の流路が設けてあり、該他の流路は前記第２水路に接続してあることを特徴とする。
【００１４】
請求項３記載の本発明は、前記第２水路に、該第２水路を通流する水の量を制限する流量制限手段が設けてあることを特徴とする。
【００１５】
請求項４記載の本発明は、前記他の流路に、該他の流路内を通流する水の量を制限する流量制限手段が設けてあることを特徴とする。
【００１６】
【発明の実施の形態】
本発明では、水が通流される第１槽及び第２槽を内蔵し、両槽内に通電してイオン水を生成するイオン水生成部の前記第１槽内へ水を導入し、該第１槽から取水する第１水路には、浄水部によって浄化された水が流入されるようにしてある。従って、イオン水生成部の第１槽を通過して第１水路から取水され、ユーザによって使用される水は、全て浄水である。
【００１７】
一方、イオン水生成部の第２槽には第２水路によって、外部から導入された水が直接的に通流される。この第２水路上に当該第２水路を開閉する開閉弁が配設してあり、開閉弁は、第１槽及び第２槽内に通電しない場合は閉動作し、両槽内に通電する場合は開動作する。従って、第１槽及び第２槽内に通電せずに、第１水路から浄水のみを取水する場合、開閉弁が閉じているため、第２水路から排水されないため、無駄な水が発生しない。
【００１８】
また、第１槽及び第２槽内に通電して、第１流路からイオン水を取水する場合、開閉弁が開いて第２槽内へ、外部から導入された水が通流される。この水は第２槽内で電気分解された後、第２水路によって排水される。このように、イオン水を生成する際に、浄水部によって浄化された浄水は廃棄されないため、浄水部の利用効率が向上する。
【００１９】
一方、第２水路には、浄水部によって一部浄化された後に流入するようにしてもよい。この場合、浄水部は一体型とすることもでき、分離型とすることもできるが、好ましくは、目詰まりが生じ難いプレフィルタの部分を通過した一部浄化水が第２水路に流入するようにする。これによって、浄水部の寿命にさほど影響を及ぼすことなく、第２水槽への汚れの付着を防止することができる。
【００２０】
また、本発明では、浄水部内には水を浄化する流路とは異なる他の流路が設けてあり、この他の流路を通過した水が前記第２水路に流入される。これによって、整水器の内部配管を簡素化することができ、整水器の製造コストを低減することができる。
【００２１】
更に、本発明では、流量制限手段によって第２水路を通流する水の量を制限する。これによって、第２水路から廃棄される排水量を少なくすることができる。
【００２２】
また、前述した浄水部の他の流路に設けた流量制限手段によって、他の流路を通流する水の量を制限する。これによって、前同様、第２水路から廃棄される排水量を少なくすることができ、外部から導入される水の利用効率が向上する。
【００２３】
【実施例】
以下、本発明の内容を図面に基づいて詳述する。
（実施例１）
図１は、実施例１に係る整水器を示す一部分離斜視図であり、正面側のケーシングを分離した状態を示している。また、図２は図１に示した整水器の要部構成を示すブロック図である。整水器は、図示しない正面側のケーシングを、背面側のケーシング２に嵌合・螺子止めすることによって形成される直方体状の筐体１を備えている。筐体１内の一側面近傍には、有底円筒状の保持部１０が設けてあり、該保持部１０内には、活性炭及び／又は中空糸膜等を充填した円柱状の浄水カートリッジ１１が着脱自在に装嵌固定してある。保持部１０の底部には、浄水カートリッジ１１へ水を導入する入水口１０ａ及び浄水カートリッジ１１によって浄化された浄水を出水する出水口１０ｂが位置を異ならせて配設してある。
【００２４】
保持部１０の近傍には、水を電気分解してアルカリ性のイオン水及び酸性のイオン水を生成する長方形厚板状のイオン水生成部３０が配設してある。イオン水生成部３０には、イオン透過性を有する隔膜３３によって内部を縦分割することによって第１槽３１及び第２槽３２が設けてあり、両槽３１，３２内には電極がそれぞれ装設してある。イオン水生成部３０の底部には、第１槽３１及び第２槽３２に各別に連通した入水口３０ａ，３０ｃが設けてあり、イオン水生成部３０の頭部には、第１槽３１に連通した取水口３０ｂ、第２槽３２に連通した排水口３０ｄがそれぞれ設けてある。
【００２５】
筐体１の底部には、水道水を内部へ導入するための導入口３及び筐体１外へ排水を導出させる導出口４が、該底部を貫通する様態で設けてあり、導入口３には導水管５が接続してある。導水管５は中途より２枝に分岐しており、その一方である第１導水管６は、前述した保持部１０の入水口１０ａに接続してある。２枝に分岐した内の他方である第２導水管７は、前述したイオン水生成部３０の第２槽３２に連通する入水口３０ｃに接続してあり、第２導水管７の中途には、該第２導水管７内の流路を開閉する電磁弁９及びカルシウム剤を充填してなるカルシウムケース２０がこの順に介装してある。従って、第２槽３２には、浄水カートリッジ１１を経ることなく直接、水道水が導入され得るようになっている。
【００２６】
一方、保持部１０の出水口１０ｂと前述したイオン水生成部３０の第１槽３１に連通する入水口３０ａとの間は連結管８によって連結してあり、浄水カートリッジ１１によって浄化生成された浄水が第１槽３１に導入される。イオン水生成部３０の第１槽３１に連通する取水口３０ｂには取水管２３の一端が接続してあり、取水管２３の他端は、筐体１の天井部分を貫通する様態で設けてなるコネクタ２５に接続してある。そして、コネクタ２５に接続した蛇口等からユーザに取水されるようになっている。
【００２７】
イオン水生成部３０の第２槽３２に連通する排水口３０ｄには、排水管２４の一端が接続してあり、該排水管２４の他端は導出口４に接続してある。そして、イオン水生成部３０の第２槽３２を通過した水は、排水管２４を通って導出口４から筐体１の外へ廃棄される。
【００２８】
このような整水器において浄水だけを得るには、正面ケーシングの制御パネルに配した浄水モードボタンを「入り」にすることによって、イオン水生成部３０の第１槽３１及び第２槽３２内に装設した電極への通電を停止した状態で、第２導水管７に介装した電磁弁９を閉にさせ、水道水を第１導水管６から浄水カートリッジ１１へ供給する。浄水カートリッジ１１によって浄化生成された浄水は連結管８からイオン水生成部３０の第１槽３１を通過し、取水管２３、及びコネクタ２５を経て取水される。これによって、排水として無駄な水を生じることなく浄水を使用することができる。
【００２９】
一方、かかる整水器おいてイオン水を得るには、前記制御パネルに配したイオン水モードボタンを「入り」にすることによって、イオン水生成部３０内の第１槽３１及び第２槽３２の両電極へ通電すると共に、電磁弁９を開にさせて、水道水を第２導水管７からイオン水生成部３０の第２槽３２内へ供給する。このとき、イオン水生成部３０の第１槽３１にも、第１導水管６から浄水カートリッジ１１を経た浄水が供給され、前記両電極への通電による電気分解によって第１槽３１にアルカリ性のイオン水が、第２槽３２に酸性のイオン水が生成される。この第１槽３１に生成されたアルカリ性のイオン水が取水管２３及びコネクタ２５を経て取水され、ユーザに主に飲用又は料理用等として使用される。
【００３０】
なお、イオン水生成部３０の第１槽３１及び第２槽３２内に配設した電極には前述した極性とは逆の極性の電圧を印加可能になっており、これによって、酸性のイオン水を取水管２３から取水することもできる。
【００３１】
従って、水道水を浄化して得た浄水から生成されたイオン水はユーザに使用され、水道水から直接的に生成されたイオン水は廃棄される。これによって、浄水のみを得る場合は、排水として無駄な水を生じることなく浄水カートリッジ１１を使用することができ、イオン水を生成する場合は、ユーザが使用するイオン水のみを浄水から生成するため、浄水カートリッジ１１の利用効率が略２倍に向上し、浄水カートリッジ１１の寿命も従来に比べて略２倍長い。
【００３２】
一方、電磁弁９はイオン水生成部３０の入側に配置してあるため、電磁弁９の閉動作中、第１槽３１から隔膜３３を通して第２槽３２内へ僅かに漏れでる浄水により第２槽３２内にも僅かな水流が生じ、長期間、浄水モードで運転した場合であっても、水の劣化によって第２槽３２内に汚れが発生することが防止される。
【００３３】
また、第２導水管７の中途にカルシウムケース２０が介装してあるので、イオン水モードではカルシウムケース２０内のカルシウム剤が利用され、浄水モードではカルシウム剤は利用されない。このように、カルシウムの添加が必要な場合だけ、カルシウムケース２０内のカルシウム剤が利用されるようになっているため、カルシウム剤の利用効率が高い。
【００３４】
なお、本実施例では、第２導水管７、即ちイオン水生成部３０の入側に電磁弁９を配設してあるが、本発明はこれに限らず、イオン水生成部３０の出側に電磁弁９を配設してもよいことはいうまでもない。
【００３５】
（実施例２）
図３は、実施例２に係る整水器の要部構成を示すブロック図であり排水管２４から廃棄される水量を可及的に少なくしてある。なお、図中、図１及び図２に示した部分に対応する部分には同じ番号を付してその説明を省略する。本整水器にあっては、実施例１に示した整水器の構成と同様、水道水が導入される第１導水管６は浄水カートリッジ１１に接続してあり、浄水カートリッジ１１とイオン水生成部３０の第１槽３１との間は連結管８によって連結してある。また、水道水が導入される第２導水管７はイオン水生成部３０の第２槽３２に接続してあり、第２導水管７の中途に、電磁弁９及びカルシウムケース２０が介装してある。
【００３６】
本実施例に係る整水器にあっては、前記第２導水管７に流量制限部４０が介装してあり、該流量制限部４０にて第２導水管７の中を通流する水の量を制限するようにしてある。第２導水管７に流量制限部４０を介装させていない場合、カルシウムケース２０内を水が通過する際の抵抗より、浄水カートリッジ１１内を水が通過する際の抵抗の方が大きいため、イオン水生成部３０の第２槽３２に導入される水量の方が、第１槽３１に導入される水量より大きくなる傾向があり、従って、第２槽３２に連結した排水管２４から廃棄される排水の量が多くなる。しかしながら、前述した如く、流量制限部４０にて第２導水管７の中を通流する水の量を制限することによって、例えば、取水管２３へ供給される水の流量を３にするのに対し、排水管２４へ供給される水の流量を１にする。これによって、整水器をイオン水モードで運転中に、排水管２４から廃棄される排水量を少なくすることができる。
【００３７】
一方、電磁弁９はイオン水生成部３０の入側に配置してあるため、前同様、長期間、浄水モードで運転した場合であっても、水の劣化によって第２槽３  ２内に汚れが発生することが防止される。また、第２導水管７の中途にカルシウムケース２０が介装してあるので、カルシウムの添加が必要な場合だけ、カルシウムケース２０内のカルシウム剤が利用され、カルシウム剤の利用効率が高い。
【００３８】
この流量制限部４０は、第２導水管７の中を通流する水の流量を制限する機能を有すればよいが、例えば、第２導水管７の一部を狭窄した狭窄部を設けて、その内径を他の部分の内径より小さくしてもよい。また、糸又は不織布等を充填した筒体を第２導水管７に介装してもよい。また、第２導水管７に介装した電磁弁９を流量制限部として機能させてもよい。この場合、電磁弁９の開閉動作を制御する制御部は、浄水モードのとき電磁弁９を閉にし、イオン水モードのとき電磁弁９を全開の開口度より小さい所定開口度で開にする。
【００３９】
（実施例３）
図４は、実施例３に係る整水器の要部構成を示すブロック図であり、実施例１で説明した整水器と同様、第２導水管７に、そこを通流する水道水へカルシウムイオンを添加する機能と共に、第２導水管７の流量を制限する機能を果たすカルシウムケース２１が介装してある。なお、図中、図２に示した部分に対応する部分には同じ番号を付してその説明を省略する。図４に示した如く、電磁弁９は排水管２４に介装してあり、電磁弁９は、前同様、浄水モードでは閉動作し、イオン水モードでは開動作するようにしてある。
【００４０】
第２導水管７には、カルシウム剤を充填したカルシウムケース２１が介装してあり、イオン水モードで運転中、水道水がカルシウムケース２１内を通過する際に、水道水中にカルシウムイオンが添加されると共に、カルシウムケース２１内の流水に対する抵抗によって、第２導水管７を通流する水道水の流量が制限される。このような流量を制限する機能は、カルシウムケース２１の入水口又は出水口の内径と第２導水管７の内径との差による抵抗、充填用のカルシウム剤を保持するネットによる抵抗、及び充填用のカルシウム剤による抵抗で発揮される。なお、所要の流量に制限すべく、カルシウムケース２１の入水口又は出水口の内径、前記ネットの孔径、充填するカルシウム剤の粒形等を適宜に調整したカルシウムケース２１を用いてもよい。
【００４１】
これによって、整水器をイオン水モードで運転中に、排水管２４から廃棄される排水量を少なくすることができると共に、第２導水管７の配管が複雑化することが防止される。また、第２導水管７の中途にカルシウムケース２１が介装してあるので、カルシウムの添加が必要な場合だけ、カルシウムケース２１内のカルシウム剤が利用され、カルシウム剤の利用効率が高い。
【００４２】
（実施例４）
図５は実施例４に係る整水器の要部構成を示すブロック図であり、前述した第１導水管及び第２導水管並びに流量制限部の機能を浄水カートリッジ１２内に設けてある。なお、図中、図３に示した部分に対応する部分には同じ番号を付してその説明を省略する。
【００４３】
図５に示した如く、浄水カートリッジ１２には導水管５から水道水が導入されるようになっている。浄水カートリッジ１２の内部には、内部へ導入された水を各別に通流させる第１流路１２１及び第２流路１２２が設けてある。第１流路１２１上には、活性炭及び／又は中空糸膜等によって形成した浄水部１３が配置してあり、第１流路１２１に導かれた水道水は浄水部１３を通過する間に浄化されて浄水になる。一方、第２流路１２２上には、糸又は不織布等によって形成した流量制限部１４が配置してあり、第２流路１２２に導かれた水道水はその流量が制限される。
【００４４】
浄水カートリッジ１２の底部には、２つの出水口が設けてあり、一方の出水口には第１流路１２１が、他方の出水口には第２流路１２２が接続してある。そして、一方の出水口とイオン水生成部３０の第１槽３１の入水口３０ａとの間は連結管８ａによって、また他方の出水口とイオン水生成部３０の第２槽３２の入水口３０ｃとの間は連結管８ｂによってそれぞれ連結してある。第２槽３２に接続した排水管２４の中途に電磁弁９が介装してあり、電磁弁９は、浄水モードでは閉され、イオン水モードでは開されるようになっている。
【００４５】
これによって、前同様、浄水のみを得る場合は、排水として無駄な水を生じることなく浄水カートリッジ１１を使用することができ、イオン水を生成する場合は、ユーザが使用するイオン水のみを浄水から生成することができると共に、整水器をイオン水モードで運転中に、排水管２４から廃棄される排水量を少なくすることができる。更に、前述した第１導水管及び第２導水管並びに流量制限部の機能を浄水カートリッジ１２内に設けてあるため、整水器内部の配管を単純化することができる。
【００４６】
なお、本実施例では、第２流路１２２上に流量制限部１４が配置してある場合に付いて説明したが、本発明はこれに限らず、第２流路１２２上に流量制限部１４を配していなくてもよい。この場合、整水器をイオン水モードで運転中に、排水管２４から廃棄される排水量を少なくすることができるという効果を得るために、連結管８ｂ又は排水管２４に前述した流量制限部を配設してもよく、また、前述した如く電磁弁９を流量制限部として機能させてもよい。
【００４７】
（実施例５）
図６は、実施例５に係る整水器の要部構成を示すブロック図であり、イオン水生成部３０の第２槽３２に、水道水を前処理して得られる水を導入するようにしてある。なお、図中、図２に示した部分に対応する部分には同じ番号を付してその説明を省略する。
【００４８】
図６に示した如く、浄水カートリッジ１５の内部には、活性炭又は中空糸膜等を充填してなる第１処理部１５１と、中空糸膜又は活性炭等を充填してなる第２処理部１５２とが設けてあり、導水管５から浄水カートリッジ１５内へ導入された水道水は、第１処理部１５１及びこれに続いて第２処理部１５２を通過する間に浄化され、得られた浄水は連結管８ａを経てイオン水生成部３０の第１槽３１内へ導入される。
【００４９】
ところで、浄水カートリッジ１５には、第１処理部１５１で処理されて得られる水の一部を外部へ取り出す取出口１５ａが設けてある。この取出口１５ａとイオン水生成部３０の第２槽３２との間は連結管８ｂによって連結してあり、この連結管８ｂの中途に電磁弁９が介装してある。そして、浄水モードでは電磁弁９が閉されるため、第１処理部１５１で処理されて得られた水は全て第２処理部１５２へ導入され、得られた浄水は、連結管８ａ及び第１槽３１を経て取水管２３から取水される。一方、イオン水モードでは、第１処理部１５１で処理されて得られた水の大部分は第２処理部１５２へ導入され、前同様、浄水となってイオン水生成部３０の第１槽３１へ導入される。また、第１処理部１５１で一部処理されて得られた水の残余は前記取出口１５ａから取り出され、連結管８ｂを経てイオン水生成部３０の第２槽３２へ導入される。
【００５０】
これによって、前同様、浄水のみを得る場合は、排水として無駄な水を生じることなく浄水カートリッジ１５を使用することができ、イオン水を生成する場合は、ユーザが使用するイオン水のみを浄水から生成することができる。また、第１処理部１５１で一部処理されて得られた水が、イオン水生成部３０の第２槽３２に導入されるため、イオン水生成部３０の内部における汚れの発生を抑制することができる。
【００５１】
一方、電磁弁９はイオン水生成部３０の入側に配置してあるため、長期間、浄水モードで運転した場合であっても、水の劣化によって第２槽３２内に汚れが発生することが防止される。
【００５２】
なお、本実施例では、浄水カートリッジ１５の内部に第１処理部１５１と第２処理部１５２とを設けた場合について説明したが、本発明はこれに限らず、第１処理部と第２処理部とを分離して配設してもよいことはいうまでもない。
【００５３】
【発明の効果】
請求項１記載の本発明によれば、イオン水生成部の第１槽内へ水を導入し、第１槽から取水する第１水路には、浄水部によって浄化された水が流入されるようにしてあり、第２槽内へ水を導入し、該第２槽から排水する前記第２水路には、外部から導入された水が直接的に又は前記浄水部によって一部浄化された後に流入するようにしてあり、第２水路上に当該第２水路を開閉する開閉弁が配設してあり、該開閉弁は、前記両槽内に通電しない場合は閉動作し、両槽内に通電する場合は開動作するようにしてあるため、第１槽及び第２槽内に通電せずに、第１水路から浄水のみを取水する場合、第２水路から排水されないので、無駄な水が発生しない。また、第１槽及び第２槽内に通電して、第１水路からイオン水を取水する場合、浄水部によって浄化された浄水は廃棄されないため、浄水部の利用効率が向上する。
【００５４】
一方、一部浄化水が第２水路に流入するようにしてあるため、浄水部の寿命にさほど影響を及ぼすことなく、第２水槽への汚れの付着を防止することができる。
【００５５】
請求項２記載の本発明によれば、浄水部内には水を浄化する流路とは異なる他の流路が設けてあり、該他の流路は前記第２水路に接続してあるため、整水器の内部配管を簡素化することができ、整水器の製造コストを低減することができる。
【００５６】
請求項３記載の本発明によれば、第２水路に、そこを通流する水の量を制限する流量制限手段が設けてあるため、第２水路から廃棄される排水量を少なくすることができ、外部から導入される水の利用効率が向上する。
【００５７】
請求項４記載の本発明によれば、前述した浄水部の他の流路に設けた流量制限手段によって、他の流路を通流する水の量を制限するため、前同様、第２水路から廃棄される排水量を少なくすることができ、外部から導入される水の利用効率が向上する等、本発明は優れた効果を奏する。
【図面の簡単な説明】
【図１】実施例１に係る整水器を示す一部分離斜視図である。
【図２】図１に示した整水器の要部構成を示すブロック図である。
【図３】実施例２に係る整水器の要部構成を示すブロック図である。
【図４】実施例３に係る整水器の要部構成を示すブロック図である。
【図５】実施例４に係る整水器の要部構成を示すブロック図である。
【図６】実施例５に係る整水器の要部構成を示すブロック図である。
【図７】従来の整水器の構造を示す模式図である。
【符号の説明】
１    筐体
３    導入口
４    導出口
５    導水管
６    第１導水管
７    第２導水管
８    連結管
９    電磁弁
１０  保持部
１１  浄水カートリッジ
２０  カルシウムケース
２３  取水管
２４  排水管
３０  イオン水生成部
３１  第１槽
３２  第２槽
３３  隔膜
【図１】
2004188253.tif 000003
【図２】
2004188253.tif 000004
【図３】
2004188253.tif 000005
【図４】
2004188253.tif 000006
【図５】
2004188253.tif 000007
【図６】
2004188253.tif 000008
【図７】
2004188253.tif 000009